(57)【要約】      （修正有）【課題】従来の食事用エプロンの装着、脱着を高齢者、障害者、子供でも自分で出きるように改良したカチューシャ内蔵エプロンを提供する。【解決手段】食事用エプロンの大部分は、首のうしろでヒモで結ぶか、マジックテープ（登録商標）で装着しているが、首の周辺にあたる部分に２０ｍｍ幅のくらいの袋状スリットにして、その中にプラスチック製Ｃ字型カチューシャを挿入することにより、ワンタッチで容易に装着、脱着でき、着心地がよい。【選択図】図１
0003145744.tif 000002
【実用新案登録請求の範囲】
【請求項１】
首部に装着するようになっているエプロンにおいて、首の周辺にあたる部分に、幅約１５〜２０ｍｍ、長さ３００〜４００ｍｍの筒状のスリットが、カチューシャを内蔵できるように加工され、その一方は袋状に縫いつけられており、片方は開放されていてもよいし、マジックテープまたはホックなどで止めるようにしてもよい。
あるいは、前記筒状のスリットの両サイドは、開放されたままでもよいが、両サイドまたは片方はマジックテープまたはホックなどで止めるようにしてもよい。
前記筒状スリットあるいは袋状スリットには、開放部よりプラスチック製Ｃ型カチューシャを挿入可能にしたことを特徴とする、カチューシャ内蔵エプロン
【考案の詳細な説明】
【技術分野】
【０００１】本考案は、エプロンに関するものであるが、主として食事用エプロンに関するものである。
【背景技術】
【０００２】従来、高齢者、障害者、子供などが食事中に衣服などの汚れを防止するために着用するエプロンは、前掛け部があり、後ろ開きで、首の後ろでヒモで結ぶか、マジックテープで装着している。
また、レストランや焼肉店などでは、紙製のエプロンが消耗品として使用されている。
【考案の開示】
【考案が解決しようとする課題】
【０００３】高齢者や障害者、子供などが使用する食事用エプロンは、必ず第三者に装着、脱着してもらう必要があった。また首まわりで、ひもで縛ったり、マジックテープで止めたりするため、きここちが悪くても自分では、なかなか調節がしにくかった。【０００４】レストランや焼肉店など紙製のエプロンが多く使用されているが、装着性、脱着性も悪く、また一度きりの消耗品でもったいない。
【課題を解決するための手段】
【０００５】食事用エプロンの大部分は、首の後ろでヒモで結ぶか、マジックテープで装着しているが、首の周辺にあたる部分を２０ｍｍ幅くらいの袋状にして、その中にプラスチック製Ｃ字型カチューシャを挿入してみたところ、カチューシャの機能で、ワンタッチで首部周辺に装着でき、後は前掛け部を広げて整えるだけで装着完了である。また、はずしたい時は、首前面のカチューシャ挿入部を軽くつまんで、前にひっぱるだけで、脱着完了である。
また、装着、脱着時、首の後ろに手を回す必要もなく、左右どちらの手でも、片手で、ワンタッチで装、脱着を完了できる。【０００６】レストラン、焼肉屋などで使用される、紙製エプロンに代えて、使用できる。
【考案の効果】
【０００７】装着性、脱着性が片手でも出きる簡便さから、高齢者、障害者でも、必ずしも第三者の手を借りることなく、自分で装着、脱着できることは、彼らの自尊心の回復になる。また首を締め付けるようなこともなく、着心地が極めてよい。
高齢者、障害者、子供などの食事用エプロンの場合、エプロン下部をテーブル上に広げ、その上に食事用のお盆や食器が置かれるが、食事者が横やうしろに大きく動かれるとお盆や食器をひっくり返す危険があるが、本考案では、カチューシャの機能で、前に強く引っ張られるとエプロンが首からぬけて、ひっくり返す危険はない。【０００８】紙製エプロンの代替になることは、洗濯、アイロンかけが必要だとしても、温暖化防止効果の一助となる。
【考案を実施するための最良の形態】
【実施例１】図面に示す実施例について詳細に説明する。【０００９】［図１］は、本考案のエプロンの全体図であるが、エプロンの首の周辺にあたる部分に、円形になるように幅２０ｍｍ、長さ４００ｍｍの袋状スリットすなわちカチューシャ挿入部２をつくり、そのスリットの開放部よりプラスチック製Ｃ字型カチューシャを挿入し、マジックテープでカチューシャが抜けないよう固定するようになっている。ポケット３は、ハンカチやティッシュペーパーなどいれて置くのに便利である。
【図面の簡単な説明】
【００１０】
【図１】本考案の実施形態の全体図である。
【図２】本考案の実施形態のエプロンの斜視図である。
【符号の説明】
【００１１】１・・生地
２・・カチューシャ挿入部
３・・マジックテープ
【図１】
0003145744.tif 000003
【図２】
0003145744.tif 000004
【手続補正書】
【提出日】平成20年7月23日(2008.7.23)
【手続補正１】
【補正対象書類名】実用新案登録請求の範囲
【補正対象項目名】全文
【補正方法】変更
【補正の内容】
【実用新案登録請求の範囲】
【請求項１】
首部に装着するようになっているエプロンにおいて、首の周辺にあたる部分に、幅約１５〜２０ｍｍ、長さ３００〜４００ｍｍの筒状のスリットが、カチューシャを内蔵できるように加工され、
（１）その一方は袋状に縫い付けられており、片方は開放されていてもよいし、
（２）片方は、マジックテープ（登録商標）またはホックなど止めるようにしてもよいし、
（３）また前記筒状のスリットの両サイドは、開放されたままでもよいし、
（４）両サイドは、マジックテープ（登録商標）またはホックなどで止めるようにしてもよく、種々の態様をとることができ、
前記筒状のスリットあるいは袋状スリットには、開放部よりプラスチック製Ｃ字型カチュ−シャを挿入したことを特徴とする、カチューシャ内蔵エプロン
【手続補正２】
【補正対象書類名】明細書
【補正対象項目名】０００２
【補正方法】変更
【補正の内容】
【０００２】従来、高齢者、障害者、子供などが食事中に衣服などの汚れを防止するために着用するエプロンは、前掛け部があり、後ろ開きで、首の後ろでヒモで結ぶか、マジックテープ（登録商標）で装着している。
また、レストランや焼肉店などでは、紙製のエプロンが消耗品として使用されている。
【手続補正３】
【補正対象書類名】明細書
【補正対象項目名】０００３
【補正方法】変更
【補正の内容】
【０００３】高齢者や障害者、子供などが使用する食事用エプロンは、必ず第三者に装着、脱着してもらう必要があった。また首まわりで、ひもで縛ったり、マジックテープ（登録商標）で止めたりするため、きここちが悪くても自分では、なかなか調節がしにくかった。
【手続補正４】
【補正対象書類名】明細書
【補正対象項目名】０００５
【補正方法】変更
【補正の内容】
【０００５】食事用エプロンの大部分は、首の後ろでヒモで結ぶか、マジックテープ（登録商標）で装着しているが、首の周辺にあたる部分を２０ｍｍ幅くらいの袋状にして、その中にプラスチック製Ｃ字型カチューシャを挿入してみたところ、カチューシャの機能で、ワンタッチで首部周辺に装着でき、あとは前掛け部を広げて整えるだけで装着完了である。    また、はずしたい時は、首前面のカチューシャ挿入部を軽くつまんで、前にひっぱるだけで、脱着完了である。
また、装着、脱着時、首の後ろに手を回す必要もなく、左右どちらの手でも、片手で、ワンタッチで装着、脱着を完了できる。
【手続補正５】
【補正対象書類名】明細書
【補正対象項目名】０００９
【補正方法】変更
【補正の内容】
【０００９】［図１］は、本考案のエプロンの全体図であるが、エプロンの首の周辺にあたる部分に、円形になるように幅２０ｍｍ、長さ４００ｍｍの袋状スリットすなわちカチューシャ挿入部２をつくり、そのスリットの開放部よりプラスチック製Ｃ字型カチューシャを挿入し、マジックテープ（登録商標）でカチューシャが抜けないよう固定するようになっている。ポケット４は、ハンカチやティッシュペーパーなどいれて置くのに便利である。
【手続補正６】
【補正対象書類名】明細書
【補正対象項目名】００１１
【補正方法】変更
【補正の内容】
【００１１】１・・生地
２・・カチューシャ挿入部
３・・マジックテープ（登録商標）
【手続補正７】
【補正対象書類名】図面
【補正対象項目名】図１
【補正方法】変更
【補正の内容】
【図１】
0003145744.tif 000005